(57)【要約】【課題】露光ユニットの位置を調整する位置調整部が外部に常時露出していないにも拘わらず、筐体に対する露光ユニットの位置を簡易に調整できる画像形成装置を提供する。【解決手段】筐体１００と、筐体１００に収容される感光体と、筐体１００に収容され、感光体の表面を走査露光して表面に静電潜像を形成する露光ユニットと、筐体１００に収容され、感光体に形成された静電潜像にトナー画像を現像する現像器と、筐体１００に収容され、感光体に形成されたトナー画像を直接的又は間接的にシート状の被転写材に転写する転写部と、筐体１００の外面を構成する閉状態と被転写材を載置可能な開状態とに回動可能に筐体１００に取り付けられる手差しトレイ６１０と、筐体１００に対する露光ユニットの位置を調整可能な位置調整部６５０であって、手差しトレイ６１０が閉状態では外部に露出せず、開状態では外部に露出するように配置される位置調整部と、を備える。【選択図】図４
2010072058.tif 000002
【特許請求の範囲】
【請求項１】
筐体と、
前記筐体に収容される感光体と、
前記筐体に収容され、前記感光体の表面を走査露光して該表面に静電潜像を形成する露光ユニットと、
前記筐体に収容され、前記感光体に形成された静電潜像にトナー画像を現像する現像器と、
前記筐体に収容され、前記感光体に形成されたトナー画像を直接的又は間接的にシート状の被転写材に転写する転写部と、
前記筐体の外面を構成する閉状態と、前記被転写材を載置可能な開状態とに回動可能に前記筐体に取り付けられる手差しトレイと、
前記筐体に対する前記露光ユニットの位置を調整可能な位置調整部であって、前記手差しトレイが前記閉状態においては外部に露出せず、前記開状態においては外部に露出するように配置される位置調整部と、を備える
画像形成装置。
【請求項２】
前記位置調整部は、
前記露光ユニットに連結されるつまみ部と、
前記露光ユニットにおける位置の基準となる目盛部と、
前記露光ユニットを移動が可能な状態と、移動が規制された状態とに変更可能な移動規制部と、を備える
請求項１に記載の画像形成装置。
【請求項３】
前記位置調整部は、
前記露光ユニットにおける副走査方向の位置を調整する
請求項１又は２に記載の画像形成装置。
【発明の詳細な説明】
【技術分野】
【０００１】
本発明は、筐体に対する露光ユニットの位置を調整可能な画像形成装置に関する。
【背景技術】
【０００２】
従来、コピー機等の画像形成装置において、画像に歪みが生じる原因の一つとして、筐体に対する露光ユニットの位置がずれていることが挙げられる。
これに対し、例えば、露光ユニット（書込ユニット）の角度を調整することで、画像の歪みを解消させる画像形成装置が提案されている（例えば、特許文献１参照）。
【特許文献１】特開２００１−１３８５７３号公報
【発明の開示】
【発明が解決しようとする課題】
【０００３】
しかし、特許文献１における画像形成装置においては、露光ユニット（書込ユニット）が筐体の内部に配置されているので、筐体に対する露光ユニットの位置を簡易に調整できないという問題があった。
【０００４】
また、露光ユニットは、形成される画像の品質に大きな影響を与える部材であるため、その位置を調整する位置調整部が外部に常時露出されることは好ましくないという問題も同時に存在する。
【０００５】
本発明は、露光ユニットの位置を調整する位置調整部が外部に常時露出していないにも拘わらず、筐体に対する露光ユニットの位置を簡易に調整することができる画像形成装置を提供することを目的とする。
【課題を解決するための手段】
【０００６】
本発明は、筐体と、前記筐体に収容される感光体と、前記筐体に収容され、前記感光体の表面を走査露光して該表面に静電潜像を形成する露光ユニットと、前記筐体に収容され、前記感光体に形成された静電潜像にトナー画像を現像する現像器と、前記筐体に収容され、前記感光体に形成されたトナー画像を直接的又は間接的にシート状の被転写材に転写する転写部と、前記筐体の外面を構成する閉状態と、前記被転写材を載置可能な開状態とに回動可能に前記筐体に取り付けられる手差しトレイと、前記筐体に対する前記露光ユニットの位置を調整可能な位置調整部であって、前記手差しトレイが前記閉状態においては外部に露出せず、前記開状態においては外部に露出するように配置される位置調整部と、を備える画像形成装置に関する。
【０００７】
また、前記位置調整部は、前記露光ユニットに連結されるつまみ部と、前記露光ユニットにおける位置の基準となる目盛部と、前記露光ユニットを移動が可能な状態と移動が規制された状態とに変更可能な移動規制部と、を備えることが好ましい。
【０００８】
また、前記位置調整部は、前記露光ユニットにおける副走査方向の位置を調整することが好ましい。
【発明の効果】
【０００９】
本発明によれば、露光ユニットの位置を調整する位置調整部が外部に常時露出していないにも拘わらず、筐体に対する露光ユニットの位置を簡易に調整することができる画像形成装置を提供することができる。
【発明を実施するための最良の形態】
【００１０】
以下、図面を参照して本発明を実施するための最良の形態を説明する。
図１から図６により、本実施形態における画像形成装置としてのコピー機１における全体構造を説明する。図１は、本実施形態のコピー機１の斜視図である。図２は、図１に示すコピー機１における各構成要素の配置を説明するための図である。図３は、手差しトレイ６１０を閉じた状態のコピー機１を示す側面図である。図４は、手差しトレイ６１０を開いた状態のコピー機１を示す側面図である。なお、本実施形態において、図２における手前側をコピー機１の前側とする。
【００１１】
図１及び図２に示すように、画像形成装置としてのコピー機１は、コピー機１における上方側に配置される画像読取装置２００と、コピー機１における下方側に配置され画像読取装置２００からの画像情報に基づいてシート状の被転写材としての用紙Ｔにトナー画像を形成する装置本体Ｍと、を備える。
【００１２】
画像読取装置２００について説明する。
図２に示すように、画像読取装置２００は、蓋部材７０と、原稿Ｇの画像を読み込む読取部２０１と、を備える。
蓋部材７０は、読取部２０１に対して不図示の連結部により開閉可能に連結される。蓋部材７０は、後述する読取面２０２Ａを保護する機能を有する。
【００１３】
読取部２０１は、読取面２０２Ａと、内部空間２０４に配置される光源としてのランプ２４０と、複数のミラー２２１、２２２及び２２３と、結像レンズ２３０と、読取手段としてのＣＣＤ２３５と、ＣＣＤ２３５により読み取られた画像データに対し所定の処理をすると共に該画像データを装置本体Ｍ側に出力させるＣＣＤ基板２３６と、を備える。
【００１４】
読取面２０２Ａは、原稿Ｇが載置されるコンタクトガラス２０２の垂直方向上面に沿って形成される。
読取部２０１は、内部空間２０４に配置され読取面２０２Ａと平行な方向に移動する第１枠体２１１及び第２枠体２１２と、を備える。上述のランプ２４０及びミラー２２１は、第１枠体２１１に収容される。また、ミラー２２２及び２２３は、第２枠体２１２に収容される。
【００１５】
読取部２０１の内部空間２０４において、複数のミラー２２１、２２２及び２２３は、原稿Ｇからの光を結像レンズ２３０に入光させるための光路Ｈを形成する。また、第１枠体２１１が副走査方向Ｘに一定速度Ａで移動すると共に、第２枠体２１２が副走査方向Ｘに一定速度Ａ／２で移動するので、画像読み取り動作時においても光路Ｈの長さは一定に保持される。これにより、読取面２０２Ａに載置された原稿Ｇの画像が読み取られる。
【００１６】
装置本体Ｍについて説明する。
装置本体Ｍは、所定の画像情報に基づいて用紙Ｔに所定の画像を形成する画像形成部と、用紙Ｔを画像形成部に給紙すると共に画像が形成された用紙Ｔを排紙する給排紙部とを有する。
【００１７】
装置本体Ｍにおける外形は、筐体としてのケース体１００により構成される。つまり、ケース体１００の内部に、画像形成部と給排紙部とが収容されている。
図１に示すように、ケース体１００は、ケース本体１１０と、カバー体１２０とを有する。
【００１８】
ケース本体１１０は、装置本体Ｍの略全体を覆っている。
カバー体１２０は、ケース体１００の前面側に設けられている。カバー体１２０は、ケース本体１１０に対して、水平方向に延びる回動軸を中心に回動可能となっている。カバー体１２０の回動によって、ケース本体１１０の内部における前面部分が露出する。この露出によって、後述するトナーカートリッジ５ａ、５ｂ、５ｃ、５ｄの交換、用紙詰まりの回復、メンテナンス等をケース本体１１０の前面側から行うことができる。
【００１９】
図２に示すように、前記画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００２０】
図２に示すように、給排紙部は、給紙カセット５２と、手差し給紙部６００と、用紙Ｔの搬送路Ｌと、レジストローラ対８０と、第１排紙部５０ａと、第２排紙部５０ｂとを備える。
【００２１】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
【００２２】
また、画像形成部においては、中間転写ベルト７、２次転写ローラ８及び対抗ローラ１８による２次転写、定着部９による定着が行われる。
【００２３】
感光体ドラム２ａ、２ｂ、２ｃ、２ｄは、円筒形状の部材からなり、感光体又は像担持体として機能する。感光体ドラム２ａ、２ｂ、２ｃ、２ｄそれぞれは、中間転写ベルト７の進行方向に対して垂直な方向に延びる回転軸を中心に矢印の方向に回転可能に配置される。感光体ドラム２ａ、２ｂ、２ｃ、２ｄそれぞれにおける表面には、静電潜像が形成される。
【００２４】
帯電部１０ａ、１０ｂ、１０ｃ、１０ｄは、感光体ドラム２ａ、２ｂ、２ｃ、２ｄそれぞれの表面に対向して配置される。帯電部１０ａ、１０ｂ、１０ｃ、１０ｄは、感光体ドラム２ａ、２ｂ、２ｃ、２ｄそれぞれの表面を一様に負（マイナス極性）又は正（プラス極性）に帯電させる。
【００２５】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００２６】
レーザスキャナユニット４ａ、４ｂ、４ｃ、４ｄそれぞれは、読取部２０１により読み込まれた画像に関する画像情報に基づいて感光体ドラム２ａ、２ｂ、２ｃ、２ｄの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００２７】
レーザスキャナユニット４ａ、４ｂ、４ｃ、４ｄの全体は、支持板４Ｓに載置され、ネジ止め等によって支持板４Ｓに固定されている。レーザスキャナユニット４ａ、４ｂ、４ｃ、４ｄを支持する支持板４Ｓは、副走査方向Ｘに沿って移動調整可能となっている。支持板４Ｓの移動調整により、副走査方向Ｘへのレーザスキャナユニット４ａ、４ｂ、４ｃ、４ｄの位置調整を行うことができる。副走査方向Ｘへのレーザスキャナユニット４ａ、４ｂ、４ｃ、４ｄの位置調整は、後述するように位置調整部６５０（図４参照）の操作によって可能である。
【００２８】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、各色のトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００２９】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３０】
トナーカートリッジ５ａ、５ｂ、５ｃ、５ｄは、交換できるように着脱可能に取り付けられる。トナーカートリッジ５ａ、５ｂ、５ｃ、５ｄは、カバー体１２０が回動移動されることで外部に露出されるように配置される。言い換えると、トナーカートリッジ５ａ、５ｂ、５ｃ、５ｄを交換する場合、カバー体１２０は、トナーカートリッジ５ａ、５ｂ、５ｃ、５ｄが交換可能な程度に外部に露出されるように水平方向外側に移動される。
【００３１】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３２】
中間転写ベルト７には、感光体ドラム２ａ、２ｂ、２ｃ、２ｄに現像された各色のトナー画像が順次転写される。中間転写ベルト７は、駆動ローラ３５、対抗ローラ１８、テンションローラ３６等に掛け渡される。テンションローラ３６が中間転写ベルト７を内側から外側に付勢するため、中間転写ベルト７には所定の張力が与えられる。
【００３３】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００３４】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００３５】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００３６】
除電器１２ａ、１２ｂ、１２ｃ、１２ｄそれぞれは、感光体ドラム２ａ、２ｂ、２ｃ、２ｄの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００３７】
ドラムクリーニング部１１ａ、１１ｂ、１１ｃ、１１ｄそれぞれは、感光体ドラム２ａ、２ｂ、２ｃ、２ｄの表面に対向して配置される。ドラムクリーニング部１１ａ、１１ｂ、１１ｃ、１１ｄそれぞれは、感光体ドラム２ａ、２ｂ、２ｃ、２ｄの表面に残存したトナーや付着物を除去すると共に、除去されたトナーを所定の回収機構へ搬送させて、回収させる。
【００３８】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００３９】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４０】
中間転写ベルト７における２次転写ローラ８に対向する側には、対抗ローラ１８が配置される。中間転写ベルト７における所定部分は、２次転写ローラ８と対抗ローラ１８とによって挟み込まれる。そして、用紙Ｔは中間転写ベルト７の外面（画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４１】
定着部９は、用紙Ｔに２次転写されたトナー画像を構成する各色トナーを溶融して定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように用紙Ｔが搬送されることで、用紙Ｔに転写されたトナーは、溶融し、定着される。
【００４２】
次に、給排紙部について説明する。
図２に示すように、装置本体Ｍの下部には、用紙Ｔを収容する給紙カセット５２が２個上下に配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図２において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００４３】
装置本体Ｍの右側面（図２において右側）には、手差し給紙部６００が設けられる。手差し給紙部６００は、給紙カセット５２にセットされる用紙Ｔとは異なる大きさの用紙Ｔを装置本体Ｍに供給することを主目的として設けられる。手差し給紙部６００は、閉状態において装置本体Ｍの一部を構成する手差しトレイ６１０と、給紙コロ６６とを備える。手差しトレイ６１０は、下端が給紙コロ６６の近傍に回動自在（開閉自在）に取り付けられる。開状態の手差しトレイ６４には、用紙Ｔが載置される。手差し給紙部６００は、開状態の手差しトレイ６１０に載置された用紙Ｔを手差し搬送路Ｌａに給紙する。
【００４４】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００４５】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６００から供給される用紙を第１搬送路Ｌ１に合流させる手差し搬送路Ｌａと、第３搬送路Ｌ３を搬送する用紙Ｔを表裏反転させて第１搬送路Ｌ１に戻す戻り搬送路Ｌｂと、第３搬送路Ｌ３を搬送する用紙を後処理装置（図示せず）に搬送する後処理搬送路Ｌｃとを備える。
【００４６】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００４７】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００４８】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２により非印刷面に対して所定のトナー画像が転写される。
【００４９】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図２において右側、手差し給紙部６００側）に向けて開口している。第１排紙部５０ａは、第３搬送路Ｌ３を搬送される用紙Ｔを装置本体Ｍの外部に排紙する。
【００５０】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定画像が転写され第１排紙部５０ａから排紙された用紙Ｔが積層して集積される。
【００５１】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図２において左側。後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００５２】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図２に示すように、装置本体Ｍの左側面側（図２において左側）には、主搬送路Ｌ１〜Ｌ３及び戻り搬送路Ｌｂが主に上下方向に延びるように並列している。装置本体Ｍの左側面側（図２において左側）には、装置本体Ｍの左側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図２に示す位置）と開位置（図示せず）との間を回動自在に構成されている。
【００５３】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第２のカバー部４２は、第１のカバー部４１よりも装置本体Ｍの外側（左側面側）に位置する。なお、図２において、右下がりの破線でハッチングされた部分が第１のカバー部４１であり、右上がりの破線でハッチングされた部分が第２のカバー部４２である。
【００５４】
カバー体４０が閉位置に位置する状態において、第１のカバー部４１は、その外面側が装置本体Ｍの外面（左側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００５５】
本実施形態のコピー機１は、このような構成のカバー体４０を備えることにより、主搬送路Ｌ１〜Ｌ３で紙詰まり（ＪＡＭ）が発生した際には、カバー体４０を図２に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図２において右側）に回動させて戻り搬送路Ｌｂを開放することにより、戻り搬送路Ｌｂに詰まった用紙を処理することができる。
【００５６】
次いで、図３及び図４により、手差しトレイ６１０及び位置調整部６５０の構造の詳細について説明する。手差しトレイ６１０は、外側に位置するドア蓋６１３と、内側に位置する給紙板６１５とを備えている。
【００５７】
ドア蓋６１３は、その外面が平板状となっており、手差しトレイ６１０が閉じられた状態において、ケース本体１１０の外面（側面１１０ａ）と同一面となり、ケース本体１１０の外面の一部となる。ドア蓋６１３の下部には、ヒンジ軸６１９（図３参照）が設けられている。そのため、ドア蓋６１３は、ヒンジ軸６１９を中心に正逆方向に回動可能となっている。
【００５８】
手差しトレイ６１０は、ドア蓋６１３の外側への回動によって開状態（図４参照）となり、内側への回動によって閉状態（図３参照）となる。図３に示すように、ドア蓋６１３の外面には、取手部６１７が設けられている。取手部６１７に手を掛け、ドア蓋６１３を外側に引くことにより、開状態への手差しトレイ６１０の回動を行うことができる。また、取手部６１７を介してドア蓋６１３をケース本体１１０側に押すことにより、閉状態への手差しトレイ６１０の回動を行うことができる。
【００５９】
図４に示すように、給紙板６１５は、ケース本体１１０側（内側）に位置するように、ドア蓋６１３に取り付けられる。給紙板６１５の基端部６１５ａは、ケース本体１１０に形成されている手差し口６９に臨んでいる。手差し口６９の略中央部分には、ケース本体１１０の内部設けられた給紙コロ６６が位置している。このような構造によれば、給紙板６１５の上に用紙Ｔを載置すると、用紙Ｔの先端部分に給紙コロ６６が接触する。このため、用紙Ｔを手差し口６９からケース本体１１０の内部に搬送することができる。
【００６０】
給紙板６１５の上面には、一対の給紙ガイド６２１が設けられている。一対の給紙ガイド６２１は、給紙板６１５における幅方向の両端部に位置している。給紙ガイド６２１は、給紙板６１５の上に載置される用紙Ｔにおける搬送方向と直交する方向の両端部分に接触して、用紙Ｔを整えるように機能する。
【００６１】
本実施形態において、ドア蓋６１３の左右方向の端部には、ケース本体１１０から延びるスライドレール６２５が設けられている。ドア蓋６１３をスライドレール６２５に沿ってスライドさせることにより、給紙板６１５に対してドア蓋６１３が伸長する。従って、手差しトレイ６１０の大きさを、大きなサイズの用紙Ｔに合わせることが可能となっている。
【００６２】
位置調整部６５０は、ケース本体１１０に対するレーザスキャナユニット４ａ、４ｂ、４ｃ、４ｄの位置を調整する部位であり、図４に示すように、ケース本体１１０における、閉状態の手差しトレイ６１０によって覆われる位置に配置されている。位置調整部６５０は、手差し口６９の上部で、且つ手差しトレイ６１０に臨むようにケース本体１１０に配置される。従って、手差しトレイ６１０を開いた状態で、位置調整部６５０は外部に露出する。
【００６３】
位置調整部６５０が手差しトレイ６１０に臨むように配置されているため、手差しトレイ６１０を閉じた状態では、位置調整部６５０は外部に露出しない。このため、手差しトレイ６１０を閉じた状態では、位置調整部６５０は操作されない（操作できない）。また、位置調整部６５０が手差し口６９の上部に配置されているため、手差しトレイ６１０に載置された用紙Ｔに邪魔されることなく、位置調整部６５０の操作が可能となっている。
【００６４】
位置調整部６５０は、つまみ部６５５と、目盛部６５７と、移動規制部６５９とを有している。
つまみ部６５５は、レーザスキャナユニット４ａ、４ｂ、４ｃ、４ｄの位置調整の際に移動操作されるものである。つまみ部６５５は、その一端部がケース本体１１０の外面から露出することにより移動操作が可能となっている。つまみ部６５５の他端部は、ケース本体１１０の内部に延びており、この他端部がレーザスキャナユニット４ａ、４ｂ、４ｃ、４ｄに間接的に連結されている。例えば、つまみ部６５５の他端部は、レーザスキャナユニット４ａ、４ｂ、４ｃ、４ｄを支持する前記支持板４Ｓに連結される。従って、つまみ部６５５を左右に移動操作することにより、レーザスキャナユニット４ａ、４ｂ、４ｃ、４ｄを同方向に移動することができる。
【００６５】
目盛部６５７は、レーザスキャナユニット４ａ、４ｂ、４ｃ、４ｄの位置の基準のために設けられる。図５及び図６は、レーザスキャナユニット４ａ、４ｂ、４ｃ、４ｄの位置調整の動作を示す側面図である。図５及び図６に示すように、目盛部６５７は、固定側目盛部６５７ａと、可動側目盛部６５７ｂとによって形成される。
固定側目盛部６５７ａは、ケース本体１１０側に形成されている。詳細には、固定側目盛部６５７ａは、ケース本体１１０の外面に印刷、刻印等の手段によって形成された横一列の複数の等間隔の指標線６５８ａから構成されている。
【００６６】
可動側目盛部６５７ｂは、レーザスキャナユニット４ａ、４ｂ、４ｃ、４ｄ側に形成されるものであり、例えば、レーザスキャナユニット４ａ、４ｂ、４ｃ、４ｄの支持板４Ｓの外面に形成される。可動側目盛部６５７ｂも、固定側目盛部６５７ａと同様に、印刷、刻印等の手段によって形成された横一列の複数の等間隔の指標線６５８ｂから構成されている。また、ケース本体１１０には、可動側目盛部６５７ｂを目視するための覗き窓６５６が形成されている。覗き窓６５６は、横長となっており、レーザスキャナユニット４ａ、４ｂ、４ｃ、４ｄ側に形成された可動側目盛部６５７ｂを露出させることが可能となっている。
【００６７】
図５及び図６に示すように、目盛部６５７においては、可動側目盛部６５７ｂの指標線６５８ｂがレーザスキャナユニット４ａ、４ｂ、４ｃ、４ｄの移動に伴って、覗き窓６５６内を移動する。指標線６５８ｂの移動によって、指標線６５８ｂが固定側目盛部６５７ａの指標線６５８ａと一致したり、ずれたりするため、レーザスキャナユニット４ａ、４ｂ、４ｃ、４ｄの移動調整量、すなわちレーザスキャナユニット４ａ、４ｂ、４ｃ、４ｄの位置を知ることができる。
【００６８】
移動規制部６５９は、レーザスキャナユニット４ａ、４ｂ、４ｃ、４ｄの移動可能な状態と、移動が規制された状態とに変更させる部位である。移動規制部６５９は、その一端部がケース本体１１０の外面に露出するように設けられる。、移動規制部６５９は、その他端部側が、ケース本体１１０の内部に延びている。移動規制部６５９の他端部側は、レーザスキャナユニット４ａ、４ｂ、４ｃ、４ｄを支持する支持板４Ｓに固定可能となっている。
【００６９】
移動規制部６５９としては、例えば、ネジを用いることができる。ネジからなる移動規制部６５９は、その締め付け操作によってレーザスキャナユニット４ａ、４ｂ、４ｃ、４ｄを固定状態とする一方で、その締め付け解除操作によってレーザスキャナユニット４ａ、４ｂ、４ｃ、４ｄを移動可能な状態とすることができる。なお、本実施形態では、移動規制部６５９は、つまみ部６５５と目盛部６５７との間に設けられているが、その位置は適宜選択することができる。
【００７０】
続けて、図５及び図６により、位置調整部６５０の動作について説明する。
コピー機１によって原稿Ｇの画像を用紙Ｔに転写した際に画像がずれていることが発見された場合には、手差しトレイ６１０を開いて位置調整部６５０を露出させる。図５は、このときに表示されている目盛部６５７の状態を示す。図５に示す状態では、固定側目盛部６５７ａの指標線６５８ａと、可動側目盛部６５７ｂの指標線６５８ｂとが一致した状態となっている。
【００７１】
図５に示す状態から、移動規制部６５９を操作してレーザスキャナユニット４ａ、４ｂ、４ｃ、４ｄを移動可能な状態とする。そして、図６に示すように、つまみ部６５５を矢印Ｒ１方向に移動させる。つまみ部６５５の移動操作により、レーザスキャナユニット４ａ、４ｂ、４ｃ、４ｄは、副走査方向Ｘでもある方向Ｒ１側に移動する。このときのレーザスキャナユニット４ａ、４ｂ、４ｃ、４ｄの移動量は、可動側目盛部６５７ｂの指標線６５８ｂが固定側目盛部６５７ａの指標線６５８ａとずれることにより、知ることができる。
【００７２】
レーザスキャナユニット４ａ、４ｂ、４ｃ、４ｄの移動調整の後、用紙Ｔに画像を転写して画像のずれを観察する。画像がずれていない場合には、移動規制部６５９を操作してレーザスキャナユニット４ａ、４ｂ、４ｃ、４ｄをその位置で固定する。これにより、レーザスキャナユニット４ａ、４ｂ、４ｃ、４ｄの移動調整が終了し、用紙Ｔに対して高精度の画像の転写が可能となる。また、用紙Ｔに対して画像が依然としてずれている場合には、つまみ部６５５を更に移動操作してレーザスキャナユニット４ａ、４ｂ、４ｃ、４ｄの移動調整を行い、レーザスキャナユニット４ａ、４ｂ、４ｃ、４ｄを適正な位置に固定する。これにより、画像の品質を良好とすることができる。
【００７３】
本実施形態によれば、手差しトレイ６１０を開くことにより、位置調整部６５０への操作を行うことができる。このため、ケース体１００に対するレーザスキャナユニット４ａ、４ｂ、４ｃ、４ｄの位置を簡易に調整することができる。
【００７４】
また、本実施形態によれば、手差しトレイ６１０の閉状態では、位置調整部６５０が外部に露出しないため、位置調整部６５０への不用意な操作が行われない。従って、不用意な操作による画像品質の低下を防止することができる。
【００７５】
また、本実施形態によれば、固定側目盛部６５７ａ及び可動側目盛部６５７ｂからなる目盛部６５７が設けられているため、レーザスキャナユニット４ａ、４ｂ、４ｃ、４ｄの位置調整を目視により把握することができる。このため、レーザスキャナユニット４ａ、４ｂ、４ｃ、４ｄの位置調整を正確に行うことができる。
【００７６】
以上、本発明の好適な実施形態について説明したが、本発明は上述した実施形態に限定されることなく種々の形態で実施することができる。例えば、本実施形態において、画像形成装置としてモノクロコピー機１について説明しているが、これに限定されず、カラーコピー機、プリンタ、ファクシミリ及びこれらの複合機等であってもよい。
【００７７】
また、本実施形態では、位置調整部６５０は、レーザスキャナユニット４ａ、４ｂ、４ｃ、４ｄを副走査方向Ｘに移動させてレーザスキャナユニット４ａ、４ｂ、４ｃ、４ｄの位置を調整する構造を有しているが、これに制限されず、ケース本体１１０に対するレーザスキャナユニット４ａ、４ｂ、４ｃ、４ｄの角度を変更してレーザスキャナユニット４ａ、４ｂ、４ｃ、４ｄの位置を調整する構造としてもよい。レーザスキャナユニット４ａ、４ｂ、４ｃ、４ｄの位置の調整方向は、主走査方向Ｙでもよい。
【００７８】
また、本実施形態において、レーザスキャナユニット４ａ、４ｂ、４ｃ、４ｄの位置調整部６５０における目盛部６５７において、指標線６５８ａ、６５８ｂによって位置調整量を表示可能としているが、これに制限されず、ドットマークや色分けマークなどの指標線以外の目盛によって位置調整量を表示してもよい。
転写部において、トナー画像は、用紙Ｔに間接的に（他の部材を介して）転写されてもよい。
本実施形態においては、用紙Ｔに画像を形成しているが、本発明の画像形成装置は、用紙Ｔ以外の被転写材、例えばフィルムシートに画像を形成することができる。
【図面の簡単な説明】
【００７９】
【図１】本発明の一実施形態のコピー機１の斜視図である。
【図２】図１に示すコピー機１における各構成要素の配置を説明するための図である。
【図３】手差しトレイ６１０を閉じた状態のコピー機１を示す側面図である。
【図４】手差しトレイ６１０を開いた状態のコピー機１を示す側面図である。
【図５】レーザスキャナユニットの位置調整の動作を示す側面図である。
【図６】レーザスキャナユニットの位置調整の動作を示す側面図である。
【符号の説明】
【００８０】
１……コピー機（画像形成装置）、２……感光体ドラム（感光体）、４……露光ユニット、８……転写ローラ、１６……現像器、１００……ケース体（筐体）、１１０……ケース本体、６００……手差し供給部、６１０……手差しトレイ、６５０……位置調整部、６５５……つまみ部、６５７……目盛部、６５９……移動規制部、転写ニップ（転写部）……Ｎ
【図１】
2010072058.tif 000003
【図２】
2010072058.tif 000004
【図３】
2010072058.tif 000005
【図４】
2010072058.tif 000006
【図５】
2010072058.tif 000007
【図６】
2010072058.tif 000008